(57)【要約】  ファンアセンブリ（２００）の動作時、吸込口（１０１）から本体内に吸い込まれた空気流が、吸湿エリア（３０１）を通過して吸気口（２０１）に入った後、第１送気口（２０２）から吹き出され放湿エリア（３０２）を通過して第１吹出口（６１１）から放出される経路と、第２送気口（２０３）から第２吹出口（１０２）に吹き出されて放出される経路と、の２つの経路に分かれる。加熱アセンブリ（４００）は加熱部（４２０）を有し、加熱部（４２０）は、少なくとも、放湿エリア（３０２）のうち調湿ロータ（３００）の回転方向上流側寄りの部分を加熱する。第１送気口（２０２）は、少なくとも、放湿エリア（３０２）のうち調湿ロータ（３００）の回転方向上流側寄りの部分に送風する。ファンロータ（２１０）及び調湿ロータ（３００）の回転方向は同一である。当該構成により全体の構造が簡素化され、調湿ロータの放湿エリアの放湿効果と、除湿効果を高める。
2020085340.tif 000002
【特許請求の範囲】
【請求項１】
吸込口（１０１）、第１吹出口（６１１）、及び第２吹出口（１０２）を有する本体（ＢＴ）と、  前記本体内に設けられ、吸気口（２０１）、第１送気口（２０２）、及び第２送気口（２０３）を有するファンアセンブリ（２００）と、  前記本体内に設けられ、前記ファンアセンブリ（２００）のファンロータ（２１０）の回転軸（Ｌ１）に略平行な回転軸（Ｌ２）を有し、さらに前記回転軸（Ｌ２）を中心とする周方向において互いに隣接する、吸湿エリア（３０１）及び放湿エリア（３０２）を有する調湿ロータ（３００）と、  前記本体内に設けられ、加熱部を有し、前記加熱部が、少なくとも、前記放湿エリア（３０２）のうち前記調湿ロータ（３００）の回転方向上流側寄りの部分を加熱する加熱アセンブリ（４００）と、を備え、  前記ファンアセンブリ（２００）の動作時、前記吸込口（１０１）から前記本体（ＢＴ）内に吸い込まれた空気流が、前記吸湿エリア（３０１）を通過して前記ファンアセンブリ（２００）の前記吸気口（２０１）に入った後に、前記第１送気口（２０２）から吹き出され前記放湿エリア（３０２）を通過して前記第１吹出口（６１１）から放出される経路と、前記第２送気口（２０３）から前記第２吹出口（１０２）に吹き出されて放出される経路と、の２つの経路に分かれ、  前記第１送気口（２０２）は、少なくとも、前記放湿エリア（３０２）のうち前記調湿ロータ（３００）の回転方向上流側寄りの部分に送風し、  前記ファンロータ（２１０）の回転方向は、前記調湿ロータ（３００）の回転方向と同一である、空気処理装置（１）。
【請求項２】
前記加熱アセンブリ（４００）は、緩衝部（４３０）を更に有し、  前記緩衝部（４３０）は、前記放湿エリア（３０２）のうち前記調湿ロータ（３００）の回転方向下流側寄りの部分と対応し、且つ前記調湿ロータ（３００）の回転方向において、前記加熱部よりも下流側にある、請求項１に記載の空気処理装置。
【請求項３】
前記加熱アセンブリ（４００）は、前記第１送気口（２０２）から吹き出されて前記放湿エリア（３０２）を通過する空気流の経路に、少なくとも部分的に設置される、請求項１又は請求項２に記載の空気処理装置。
【請求項４】
前記加熱アセンブリ（４００）は、前記第１吹出口（６１１）と前記ファンアセンブリ（２００）との間に位置している、請求項１から請求項３のいずれか１項に記載の空気処理装置。
【請求項５】
前記加熱アセンブリ（４００）は、    前記第１送気口（２０２）と対応する加熱アセンブリ吸込口（４１１）、及び    前記放湿エリア（３０２）と対応する加熱アセンブリ吹出口（４１２）、を有する  加熱アセンブリハウジング（４１０）を有する、請求項１から請求項４のいずれか１項に記載の空気処理装置。
【請求項６】
前記加熱アセンブリ吸込口（４１１）は、前記加熱部（４２０）と対応して設置され、その開口の大きさは、前記加熱部（４２０）と等しいか、又は前記加熱部（４２０）よりも大きい、請求項５に記載の空気処理装置。
【請求項７】
前記緩衝部（４３０）は、空気処理装置の安全な運転を確実にするための安全保護装置（４３１）を含む、請求項２に記載の空気処理装置。
【請求項８】
前記加熱アセンブリ（４００）は、前記ファンアセンブリ（２００）の径方向において、前記ファンアセンブリ（２００）に隣接しており、且つ前記調湿ロータ（３００）の回転軸方向において、前記調湿ロータ（３００）に隣接しており、  前記調湿ロータ（３００）は、前記加熱アセンブリ（４００）及び前記ファンアセンブリ（２００）を、少なくとも部分的に覆う、請求項１から請求項７のいずれか１項に記載の空気処理装置。
【請求項９】
前記本体（ＢＴ）は、  前記吸込口（１０１）及び前記第２吹出口（１０２）を有するケーシング（１００）と、  前記調湿ロータ（３００）の径方向において前記調湿ロータ（３００）に隣接し、且つ前記第１吹出口（６１１）を有する仕切部（６１０）と、を含み、  前記ケーシング（１００）内には、前記ファンアセンブリ（２００）、前記調湿ロータ（３００）、前記加熱アセンブリ（４００）、及び前記仕切部（６１０）が設けられている、請求項１から請求項８のいずれか１項に記載の空気処理装置。
【請求項１０】
前記仕切部（６１０）には、前記第１吹出口（６１１）と前記調湿ロータ（３００）との間に、遮蔽板（６１２）が設けられている、請求項９に記載の空気処理装置。
【請求項１１】
前記第１吹出口（６１１）には、排気ダクト（５００）が接続されている、請求項１から請求項１０のいずれか１項に記載の空気処理装置。
【請求項１２】
前記ファンアセンブリ（２００）は、前記ファンロータ（２１０）を収容するスクロールケーシング（２２０）を有し、  前記吸気口（２０１）、前記第１送気口（２０２）、及び前記第２送気口（２０３）のうち少なくとも１つは、    前記スクロールケーシング（２２０）のみによって構成される、    或いは、    前記本体（ＢＴ）に含まれるケーシング（１００）及び前記スクロールケーシング（２２０）によって構成され、  前記ファンアセンブリ（２００）、前記調湿ロータ（３００）、及び前記加熱アセンブリ（４００）は、前記ケーシング（１００）内に設けられている、請求項１に記載の空気処理装置。
【請求項１３】
前記本体（ＢＴ）は、    前面（１１０）と、    前記前面（１１０）に対向する背面（１２０）と、    前記前面（１１０）と前記背面（１２０）との間に位置する側面（１３０）と、  を有し、  前記吸込口（１０１）は、前記前面（１１０）に設けられ、  前記第２吹出口（１０２）は、前記側面（１３０）に設けられる、請求項１２に記載の空気処理装置。
【請求項１４】
蓋体（ＧＴ）を更に含み、  前記蓋体（ＧＴ）と前記本体（ＢＴ）との間には隙間が形成されており、  前記吸込口（１０１）は、前記本体（ＢＴ）の、前記蓋体（ＧＴ）に面する面に設けられ、  前記ファンアセンブリ（２００）の動作時、空気流は外部から前記隙間を通って前記吸込口（１０１）に入る、請求項１２又は請求項１３に記載の空気処理装置。
【請求項１５】
前記本体（ＢＴ）内には、前記調湿ロータ（３００）の回転軸方向両側から、前記調湿ロータ（３００）を挟持し、前記放湿エリア（３０２）と対応する、上フレーム側空気流路及び下トレイ側空気流路が形成されている上フレーム（６００）及び下トレイ（７００）が設けられており、  前記ファンアセンブリ（２００）の動作時、前記第１送気口（２０２）から吹き出された空気流は、前記下トレイ側空気流路、前記放湿エリア（３０２）、及び前記上フレーム側空気流路を順に通過して、前記第１吹出口（６１１）から放出され、  前記調湿ロータ（３００）の前記上フレーム（６００）側とは反対側の面と、前記下トレイ（７００）との間には、前記放湿エリアと対応するように、シールリング（８００）が設けられている、請求項１に記載の空気処理装置。
【請求項１６】
前記下トレイ（７００）には、又は、前記下トレイ（７００）及び前記シールリング（８００）には、付勢ユニット（９００）が設けられており、  前記付勢ユニット（９００）は、前記シールリング（８００）に対して、前記調湿ロータ（３００）の回転軸に沿い前記調湿ロータ（３００）に向かって、作用力を加える、請求項１５に記載の空気処理装置。
【請求項１７】
前記下トレイ（７００）の、前記シールリング（８００）に対向する面には、前記シールリング（８００）を収容する下トレイ側凹溝（７０１）が設けられている、請求項１５又は請求項１６に記載の空気処理装置。
【請求項１８】
前記シールリング（８００）の、前記下トレイ（７００）に面する面には、シールリング側凹溝（８０１）が設けられており、  前記付勢ユニット（９００）の少なくとも一部は、前記シールリング側凹溝（８０１）内に収容されている、請求項１５から請求項１７のいずれか１項に記載の空気処理装置。
【請求項１９】
前記付勢ユニット（９００）は、前記作用力としての磁石の斥力を加える、１対又は複数対の磁石を含む、  且つ／或いは、  前記付勢ユニット（９００）は、前記作用力としての弾性力を加える、１つ又は複数の弾性部材を含む、請求項１５から請求項１８のいずれか１項に記載の空気処理装置。
【請求項２０】
前記下トレイ（７００）及び前記シールリング（８００）の少なくとも一方には、他方に向かって延びる柱（７０２）が設けられており、  前記付勢ユニット（９００）は、前記作用力としての弾性力を加えるバネを含み、  前記バネは、前記柱（７０２）に嵌められて、前記シールリング側凹溝（８０１）に収容される、請求項１５から請求項１９のいずれか１項に記載の空気処理装置。
【請求項２１】
前記シールリング（８００）の、前記調湿ロータ（３００）に面する面には、前記調湿ロータが当接する摩擦防止層（１０００）が設けられている、請求項１から請求項２０のいずれか１項に記載の空気処理装置。
【請求項２２】
前記本体（ＢＴ）は、    前面（１１０）と、    前記前面（１１０）に対向する背面（１２０）と、    前記前面（１１０）と前記背面（１２０）との間に位置する側面（１３０）と、を有し、  前記ファンロータ（２１０）の回転軸（Ｌ１）は、前記前面（１１０）に対して傾斜しており、  前記本体（ＢＴ）内には、前記ファンアセンブリ（２００）と前記背面（１２０）との間に、電装品箱（ＤＨ）が設けられており、  前記電装品箱（ＤＨ）は、前記ファンロータ（２１０）の回転軸（Ｌ１）に垂直な方向に沿って見た時に、台形を呈す、請求項１から請求項２１のいずれか１項に記載の空気処理装置。
【請求項２３】
前記吸込口（１０１）の、前記放湿エリア（３０２）から離れた箇所に、センサが設けられている、請求項１から請求項２２のいずれか１項に記載の空気処理装置。
【請求項２４】
前記本体（ＢＴ）に対向する蓋体（ＧＴ）を更に含み、  前記蓋体（ＧＴ）の、前記放湿エリア（３０２）から離れた箇所に、センサが設けられている、請求項１から請求項２２のいずれか１項に記載の空気処理装置。
【請求項２５】
前記第１吹出口（６１１）の箇所には、逆流防止ダンパ及び／又は防虫ネットを含む防護装置（ＦＨ）が連結されている、請求項１から請求項２４のいずれか１項に記載の空気処理装置。
【発明の詳細な説明】
【技術分野】
【０００１】  本発明は空気処理装置に関し、特に、空気の湿度を調節する機能を備えた空気処理装置に関する。
【背景技術】
【０００２】  生活水準の向上に伴い、オフィス環境や居住環境に対する人々の要望もますます高まっている。例えば、冷房又は暖房用エアコン等の環境温度を調節する空気処理装置に対するニーズが拡大しているだけでなく、除湿機又は乾燥機等の環境湿度を調節する空気処理装置に対するニーズも同時に日増しに高まっている。【０００３】  従来の除湿機の中には、圧縮機の冷媒を圧縮する特性を利用して除湿を行うものがあるが、このような除湿機は圧縮機を使用する必要があるため、製造コストが高い、運転音が大きい等の欠点がある。【０００４】  このような従来の除湿機の欠点に対して、除湿ロータ式の除湿機が以前から提案されている。この除湿機では、例えばゼオライトを材料として用いて除湿ロータを製造する。そして、この除湿ロータの吸湿特性を利用することによって、圧縮機を使用することなく空気の湿度を調節する機能を実現することができる（例えば、特許文献１：中国実用新案第２０２０９６８７１号を参照）。【０００５】  上述の除湿ロータ式除湿機では、常温で湿気を吸収でき、高温で湿気を放出できるという除湿ロータの特性を利用して、除湿ロータの吸湿後のエリアを加熱して再生させる電熱装置を設けることによって、長時間の除湿機能を容易に実現することができる。
【発明の概要】
【発明が解決しようとする課題】
【０００６】  しかし、上述の除湿ロータ式除湿機では、空気吸入装置内を除湿ロータで除湿して除湿後の空気を室内に送る送風ユニットに加え、除湿ロータの吸湿後のエリアの加熱再生効率向上のために、専用の送風装置を更に設けて、電熱装置に送風し、電熱装置を通って加熱された後の空気を利用して、除湿ロータの吸湿後のエリアを加熱する必要がある。このため、装置全体が複雑になり、製造コストの増大を招く。【０００７】  本発明は、まさに上述の課題を解決するためになされたものであり、全体の構造を簡素化するとともに、調湿ロータの放湿エリアの放湿効果の向上に寄与し、除湿効果を高める空気処理装置を提供することを目的とする。
【課題を解決するための手段】
【０００８】  上述の目的を達成するために、本発明は、以下の空気処理装置を提供する。空気処理装置は、本体を有する。本体は、吸込口と、第１吹出口と、第２吹出口とを有する。本体内には、ファンアセンブリと、調湿ロータと、加熱アセンブリとが設けられている。ファンアセンブリは吸気口と、第１送気口と、第２送気口とを有する。調湿ロータは、ファンアセンブリのファンロータの回転軸に略平行な回転軸を有し、調湿ロータの回転軸を中心とする周方向において互いに隣接する、吸湿エリア及び放湿エリアを有する。ファンアセンブリの動作時、吸込口から本体内に吸い込まれた空気流は、吸湿エリアを通過してファンアセンブリの吸気口に入った後、２つの経路に分かれる。１つは、第１送気口から吹き出され、放湿エリアを通過して、第１吹出口から放出される経路であり、もう１つは、第２送気口から第２吹出口に吹き出されて放出される経路である。加熱アセンブリは、加熱部を有する。加熱部は、少なくとも、放湿エリアのうち調湿ロータの回転方向上流側寄りの部分を加熱する。第１送気口は、少なくとも、放湿エリアのうち調湿ロータの回転方向上流側寄りの部分に送風する。ファンロータの回転方向と調湿ロータの回転方向は同一である。【０００９】  ここで、「調湿ロータは、ファンアセンブリのファンロータの回転軸に略平行な回転軸を有する」とは、調湿ロータの回転軸とファンアセンブリのファンロータの回転軸とが厳密に平行である場合に限定されず、製造や組立による誤差、又は動作時の振動や熱による変形等が原因で、調湿ロータの回転軸が、ファンアセンブリのファンロータの回転軸に対してわずかに傾いている場合も含まれる。【００１０】  本発明の空気処理装置によると、ファンアセンブリは、吸気口及び第１送気口を有し、ファンアセンブリの動作時、調湿ロータの吸湿エリアを通過してファンアセンブリの吸気口に入った空気流の一部は、第１送気口から吹き出され放湿エリアを通過した後に、第１吹出口から放出される。これにより、専用の送風装置を設けて加熱アセンブリに送風する必要がなく、ファンアセンブリの第１送気口から吹き出された空気流を利用して、調湿ロータの放湿エリアの放湿効果を高めることができ、装置全体の構造の簡素化に寄与する。【００１１】  また、本発明の空気処理装置によると、加熱アセンブリの加熱部は、少なくとも、放湿エリアのうち調湿ロータの回転方向上流側寄りの部分を加熱するので、放湿エリアのうち調湿ロータの回転方向下流側寄りの部分のみを加熱する場合と比べて、実際に機能する放湿エリアの面積を大きくしやすく、調湿ロータの放湿エリアの放湿効果の向上に寄与する。その結果、調湿ロータの除湿効率が上がる。【００１２】  また、本発明の空気処理装置によると、加熱アセンブリの加熱部は、少なくとも、放湿エリアのうち調湿ロータの回転方向上流側寄りの部分を加熱し、第１送気口は、少なくとも、放湿エリアのうち調湿ロータの回転方向上流側寄りの部分に送風する。また、ファンロータの回転方向は、調湿ロータの回転方向と同一である。これにより、ファンロータの回転方向と調湿ロータの回転方向とが異なる場合に比べて、ファンアセンブリの第１送気口から吹き出された空気流が、��湿エリア全体に行き渡りやすく、放湿エリアの温度を更に均一にするので、調湿ロータの放湿エリアの放湿効果の向上に寄与する。その結果、調湿ロータの除湿効率が上がる。【００１３】  また、本発明の空気処理装置において、以下の構成を更に採用することができる。加熱アセンブリは、緩衝部を更に有する。緩衝部は、少なくとも、放湿エリアのうち調湿ロータの回転方向下流側寄りの部分と、部分的に対応し、且つ、調湿ロータの回転方向において、加熱部よりも下流側にある。【００１４】  上述の構成の空気処理装置によると、第１送気口が放湿エリアのうち調湿ロータの回転方向上流側寄りの部分に送風する場合、空気流が、放湿エリアのうち調湿ロータの回転方向下流側寄りの部分に到達しにくい恐れがある。このため、この下流側の部分を加熱部により加熱すると、この下流側部分付近の温度が上昇しすぎる現象が起こりやすく、安全上の潜在リスクが存在する。これに対し、調湿ロータの回転方向において加熱部よりも下流側の位置に、放湿エリアに対し加熱を行わない緩衝部を設けると、上述の安全上の潜在リスクを回避しやすい。更に、少なくとも、放湿エリアのうち調湿ロータの回転方向下流側寄りの部分と、部分的に対応する緩衝部を設けることによって、調湿ロータの放湿エリア部分の緩衝部通過後の温度をある程度下げることができる。これにより、調湿ロータの放湿エリア部分が熱を受けた後に過度に温度上昇することによって、放湿エリア部分が回転して吸湿エリアに到達した時の吸湿作用効率に影響を与えてしまうのを防ぐことができる。その結果、調湿ロータの放湿効率が高まる。【００１５】  また、本発明の空気処理装置において、好ましくは、加熱アセンブリは、第１送気口から吹き出されて放湿エリアを通過する空気流の経路に、少なくとも部分的に設置される。【００１６】  本発明の空気処理装置によると、第１送気口から吹き出された空気流は、加熱アセンブリにより加熱された後に、調湿ロータの放湿エリアを通過することができるので、調湿ロータの放湿エリアの放湿効果の更なる向上に寄与する。その結果、調湿ロータの除湿効率が上がる。【００１７】  また、上述の構成の空気処理装置において、以下の構成を採用することができる。加熱アセンブリは、第１吹出口とファンアセンブリとの間に位置している。【００１８】  上述の構成の空気処理装置によると、調湿ロータの除湿効率が向上するのと同時に、装置全体の小型化の実現に寄与する。【００１９】  また、上述の構成の空気処理装置において、以下の構成を採用することもできる。加熱アセンブリは、加熱アセンブリハウジングを有する。加熱アセンブリハウジングは、加熱アセンブリ吸込口及び加熱アセンブリ吹出口を有する。加熱アセンブリ吸込口は、第１送気口と対応する。加熱アセンブリ吹出口は、放湿エリアと対応する。【００２０】  上述の構成の空気処理装置によると、ファンアセンブリの第１送気口から吹き出された空気流が加熱アセンブリを通過しやすく、且つ加熱アセンブリの加熱アセンブリ吹出口から吹き出された空気流が放湿エリアを通過しやすい。従って、加熱アセンブリを通って加熱された後の空気流を利用して、調湿ロータの放湿エリアの放湿効果を更に容易に向上さ���ることができる。その結果、調湿ロータの除湿効率が上がる。【００２１】  また、上述の構成の空気処理装置において、以下の構成を更に採用することができる。加熱アセンブリ吸込口は、加熱部と対応して設置され、その開口の大きさは、加熱部と等しいか、又は加熱部よりも大きい。【００２２】  上述の構成の空気処理装置によると、ファンアセンブリの第１送気口から吹き出された空気流が、加熱アセンブリの加熱部を更に通過しやすくなるので、加熱アセンブリを通って加熱された後の空気流を利用して、調湿ロータの放湿エリアの放湿効果を更に容易に向上させることができる。その結果、調湿ロータの除湿効率が上がる。【００２３】  また、上述の構成の空気処理装置において、以下の構成を更に採用することができる。緩衝部は、空気処理装置の安全な運転を確実にするための安全保護装置を含む。【００２４】  上述の構成の空気処理装置によると、空きスペースになりやすい緩衝部に、安全保護装置を配置することにより、装置の寸法を大きくすることなく、運転の安全性を向上させやすい。特に、周囲の温度が高すぎる時に、加熱部又は空気処理装置の動作を停止させる安全保護装置を緩衝部に設けると、容易に且つ効果的に、安全上の潜在リスクを検出することができるので、確実に空気処理装置を保護することができる。【００２５】  また、上述の構成の空気処理装置において、以下の構成を採用することもできる。加熱アセンブリは、ファンアセンブリの径方向において、ファンアセンブリに隣接しており、且つ調湿ロータの回転軸方向において、調湿ロータに隣接している。また、調湿ロータは、加熱アセンブリ及びファンアセンブリを、少なくとも部分的に覆う。【００２６】  上述の構成の空気処理装置によると、ファンアセンブリの第１送気口から吹き出された空気流が加熱アセンブリを通過しやすいので、加熱アセンブリを通って加熱された後の空気流を利用して、調湿ロータの放湿エリアの放湿効果を向上させやすい。その結果、調湿ロータの除湿効率が上がる。更に、調湿ロータ、加熱アセンブリ、及びファンアセンブリはコンパクトに配置されているので、装置全体の小型化を実現しやすい。【００２７】  また、上述の構成の空気処理装置において、以下の構成を採用することができる。本体は、ケーシング及び仕切部を含む。ケーシングは、吸込口及び第２吹出口を有する。ファンアセンブリ、調湿ロータ、加熱アセンブリ、及び仕切部は、ケーシング内に設けられている。仕切部は、第１吹出口を有し、調湿ロータの径方向において、調湿ロータに隣接している。【００２８】  また、上述の構成の空気処理装置において、以下の構成を採用することができる。仕切部には、第１吹出口と調湿ロータとの間に、遮蔽板が設けられている。【００２９】  上述の構成の空気処理装置によると、第１送気口から吹き出された空気流が放湿エリア全体を通過しやすくなるので、実際に機能する放湿エリアの面積を大きくしやすく、調湿ロータの放湿エリアの放湿効果の向上に寄与する。その結果、調湿ロータの除湿効率が上がる。【００３０】  また、本発明の空気処理装置では、第１吹出口に排気ダクトが接続されていることが好ましい。【００３１】  上述の構成の空気処理装置によると、必要に応じて、第１吹出口から吹き出された空気流の方向を柔軟に設定することができる。【００３２】  また、上述の構成の空気処理装置において、以下の構成を採用することができる。ファンアセンブリは、ファンロータを収容するスクロールケーシングを有する。吸気口、第１送気口、及び第２送気口のうち少なくとも１つは、スクロールケーシングのみによって構成されるか、或いは、ケーシング及びスクロールケーシングによって構成される。ファンアセンブリ、調湿ロータ、及び加熱アセンブリは、ケーシング内に設けられている。【００３３】  上述の構成の空気処理装置によると、吸い込まれる空気量又は放出される空気量を精密に制御しやすく、吸気口、送気口を接合する時の隙間に起因する空気漏れ等を防ぐことができる。【００３４】  また、上述の構成の空気処理装置において、以下の構成を更に採用することができる。本体は、前面と、背面と、側面とを有する。背面は、前面に対向する。側面は、前面と背面との間に位置する。吸込口は、前面に設けられる。第２吹出口は、側面に設けられる。【００３５】  上述の構成の空気処理装置によると、吸込口と第２吹出口との間で、空気流のショートサーキットが起こるのを防ぎやすい。【００３６】  また、本発明の空気処理装置において、好ましくは、蓋体（ＧＴ）を更に含む。蓋体と本体との間には隙間が形成されている。吸込口は、本体の、蓋体に面する面に設けられている。ファンアセンブリの動作時、空気流は外部から隙間を通って吸込口に入る。【００３７】  上述の構成の空気処理装置によると、吸込口を蓋体で覆うことにより、外部の塵埃が吸込口に付着して吸気効率に影響を及ぼすことを防ぎやすい。また、装置全体の美観性の向上にも寄与する。【００３８】  また、上述の構成の空気処理装置において、以下の構成を採用することができる。本体には、上フレーム及び下トレイが設けられている。上フレーム及び下トレイは、調湿ロータの回転軸方向両側から、調湿ロータを挟持する。上フレーム及び下トレイにはそれぞれ、放湿エリアと対応する、上フレーム側空気流路及び下トレイ側空気流路が形成されている。ファンアセンブリの動作時、第１送気口から吹き出された空気流は、下トレイ側空気流路、放湿エリア、及び上フレーム側空気流路を順に通過して、第１吹出口から放出される。調湿ロータの上フレーム側とは反対側の面と、下トレイとの間には、放湿エリアと対応するように、シールリングが設けられている。【００３９】  本発明の空気処理装置によると、調湿ロータの回転軸方向両側には、放湿エリアと対応する下トレイ側空気流路及び上フレーム側空気流路をそれぞれ有する下トレイ及び上フレームが、調湿ロータを挟持するように設けられる。また、調湿ロータの上フレーム側とは反対側の面と下トレイとの間には、放湿エリアと対応するように、シールリングが設けられる。これにより、調湿ロータの回転が安定しやすくなる上、第１送気口から吹き出された空気流が、調湿ロータの放湿エリアに集中して流れやすい。また、調湿ロータの吸湿エリアを通る空気流と、調湿ロータの放湿エリアを通る空気流とが、互いに干渉し合うのを防ぎやすい。その結果、調湿ロータの除湿効率が上がる。【０��４０】  また、上述の構成の空気処理装置において、以下の構成を採用することもできる。下トレイには、又は下トレイ及びシールリングには、付勢ユニットが設けられており、付勢ユニットは、シールリングに対して、調湿ロータの回転軸に沿い調湿ロータに向かって、作用力を加える。【００４１】  上述の構成の空気処理装置によると、調湿ロータの回転時にも、シールリングを調湿ロータに密着させやすく、第１送気口から吹き出された空気流を、より良好に調湿ロータの放湿エリアに向かわせることができる。これにより、調湿ロータの放湿エリアの放湿効果を向上させやすい。その結果、調湿ロータの除湿効率が上がる。【００４２】  また、上述の構成の空気処理装置において、以下の構成を更に採用することができる。下トレイの、シールリングに対向する面には、シールリングを収容する下トレイ側凹溝が設けられている。【００４３】  上述の構成の空気処理装置によると、調湿ロータの回転時に、シールリングが調湿ロータの回転による外力を受けて位置ずれを起こすことを防止しやすいので、シールリングのシール作用がより良好に発揮されやすい。【００４４】  また、上述の構成の空気処理装置において、以下の構成を更に採用することができる。シールリングの、下トレイに面する面には、シールリング側凹溝が設けられており、付勢ユニットの少なくとも一部は、このシールリング側凹溝内に収容されている。【００４５】  上述の構成の空気処理装置によると、調湿ロータの回転時に、付勢ユニットが外力を受けて位置ずれを起こすことを防止しやすいので、付勢ユニットの作用がより良好に発揮されやすい。【００４６】  また、上述の構成の空気処理装置において、以下の構成を更に採用することができる。付勢ユニットは、作用力としての磁石の斥力を加える、１対又は複数対の磁石を含む、且つ／或いは、付勢ユニットは、作用力としての弾性力を加える、１つ又は複数の弾性部材を含む。【００４７】  上述の構成の空気処理装置によると、簡単な構成で付勢ユニットを実現することができ、製造コストの低減に寄与する。【００４８】  また、上述の構成の空気処理装置において、以下の構成を更に採用することができる。下トレイ及びシールリングの少なくとも一方には、他方に向かって延びる柱が設けられている。付勢ユニットは、作用力としての弾性力を加えるバネを含む。バネは、柱に嵌められて、シールリング側凹溝に収容される。【００４９】  上述の構成の空気処理装置によると、調湿ロータの回転時に、バネが外力を受けることよって位置ずれ又は変形を起こすことを確実に防止しやすいので、バネの作用がより良好に発揮されやすい。【００５０】  また、上述の構成の空気処理装置において、以下の構成を採用することもできる。シールリングの、調湿ロータに面する面には、調湿ロータが当接する摩擦防止層が設けられている。【００５１】  上述の構成の空気処理装置によると、調湿ロータの回転時に、摩擦によって生じる転がり抵抗を低減しやすい。従って、駆動力の比較的小さい小型の駆動装置を使って調湿ロータを回転させることが容易であり、装置全体の小型化に寄与する。【００５２】  また、上述の構成の空気処理装置において、以下の構成を更に採用することができる。本体は、前面と、背面と、側面とを有する。背面は、前面に対向する。側面は、前面と背面との間に位置する。ファンロータの回転軸は、前面に対して傾斜している。本体内には、電装品箱が設けられている。電装品箱は、ファンアセンブリと背面との間に設けられる。電装品箱は、ファンロータの回転軸に垂直な方向に沿って見た時に、台形を呈す。【００５３】  上述の構成の空気処理装置によると、装置全体を小型化しやすい。【００５４】  また、上述の構成の空気処理装置において、以下の構成を更に採用することができる。吸込口の、放湿エリアから離れた箇所に、センサが設けられている。【００５５】  上述の構成の空気処理装置によると、センサの検出精度が、加熱アセンブリの発熱による影響を受けにくいだけでなく、加熱された調湿ロータによる発熱の影響も受けにくい。よって、センサの検出結果に応じて、高い精度で空気処理装置を制御しやすい。【００５６】  また、上述の構成の空気処理装置において、以下の構成を更に採用することができる。本体に対向する蓋体を更に含む。蓋体の放湿エリアから離れた箇所にセンサが設けられている。【００５７】  上述の構成の空気処理装置によると、センサの検出精度が、加熱アセンブリの発熱による影響を受けにくいだけでなく、加熱された調湿ロータによる発熱の影響も受けにくい。よって、センサの検出結果に応じて、高い精度で空気処理装置を制御しやすい。【００５８】  また、上述の構成の空気処理装置において、以下の構成を更に採用することができる。第１吹出口には、防護装置が連結されている。防護装置は、逆流防止ダンパ及び／又は防虫ネットを含む。【００５９】  上述の構成の空気処理装置によると、汚れた空気流、雨水又は飛来昆虫等が第１吹出口を通って空気処理装置の内部に入り、空気処理装置の正常な運転に影響を及ぼしてしまうことを防ぐことができる。
【発明の効果】
【００６０】  本発明によると、ファンアセンブリは、吸気口及び第１送気口を有し、ファンアセンブリの動作時、調湿ロータの吸湿エリアを通過してファンアセンブリの吸気口に入った空気流の一部は、第１送気口から吹き出され放湿エリアを通過した後に、第１吹出口から放出される。これにより、専用の送風装置を設けて加熱アセンブリに送風する必要がなく、ファンアセンブリの第１送気口から吹き出された空気流を利用して、調湿ロータの放湿エリアの放湿効果を高めることができ、装置全体の構造の簡素化に寄与する。【００６１】  また、本発明によると、加熱アセンブリの加熱部は、少なくとも、放湿エリアのうち調湿ロータの回転方向上流側寄りの部分を加熱するので、放湿エリアのうち調湿ロータの回転方向下流側寄りの部分のみを加熱する場合と比べて、実際に機能する放湿エリアの面積を大きくしやすく、調湿ロータの放湿エリアの放湿効果の向上に寄与する。その結果、調湿ロータの除湿効率が上がる。【００６２】  また、本発明によると、加熱アセンブリの加熱部は、少なくとも、放湿エリアのうち調湿ロータの回転方向上流側寄りの部分を加熱し、第１送気口は、放湿エリアのうち調湿ロータの回転方向上流側寄りの部分に送風する。また、ファンロータの回転方向は、調湿ロータの回転方向と同一である。これにより、ファンロータの回転方向と調湿ロータの回転方向とが異なる場合に比べて、ファンアセンブリの第１送気口から吹き出された空気流が、放湿エリア全体に行き渡りやすく、調湿ロータの放湿エリアの放湿効果の向上に寄与する。その結果、調湿ロータの除湿効率が上がる。
【図面の簡単な説明】
【００６３】
【図１】本発明の実施形態に係る空気処理装置を模式的に示す斜視図であり、蓋体が本体に対して開いている状態を示す。
【図２】本発明の実施形態に係る空気処理装置を模式的に示す断面斜視図である。
【図３】本発明の実施形態に係る空気処理装置の本体部分を模式的に示す分解斜視図である。
【図４】本発明の実施形態に係る空気処理装置の本体の一部を模式的に示す分解斜視図である。
【図５】本発明の実施形態に係る空気処理装置の本体の一部を模式的に示す斜視図である。
【図６】本発明の実施形態に係る空気処理装置の調湿ロータを模式的に示す分解斜視図である。
【図７】本発明の実施形態に係る空気処理装置のシールリング付近の構造を模式的に示す部分的な断面斜視図である。
【図８】本発明の実施形態に係る空気処理装置のシールリング付近の構造を模式的に示す部分的な断面斜視図である。
【図９】本発明の実施形態に係る空気処理装置のファンロータ及び調湿ロータの運動について模式的に示す平面図である。
【図１０】本発明の実施形態に係る空気処理装置の動作時における各部分の温度を示すサーモグラフィーである。
【図１１】比較例に係る空気処理装置の動作時における各部分の温度を示すサーモグラフィーである。
【図１２】本発明の変形例に係る空気処理装置の加熱アセンブリの加熱部及び緩衝部を模式的に示す平面図である。
【図１３】本発明の変形例に係る空気処理装置の加熱アセンブリの加熱部及び緩衝部を模式的に示す平面図である。
【図１４】本発明の変形例に係る空気処理装置を模式的に示す斜視図であり、蓋体が本体に対して開いている状態を示す。
【図１５】本発明の変形例に係る空気処理装置のシールリング付近の構造を模式的に示す部分的な断面斜視図である。
【図１６】本発明の変形例に係る空気処理装置の防護装置を模式的に示す斜視図である。
【図１７】本発明の変形例に係る空気処理装置の防護装置を模式的に示す断面図である。
【発明を実施するための形態】
【００６４】  以下、図１〜図１１を参照しながら、本発明の実施形態に係る空気処理装置について説明する。図１は、本発明の実施形態に係る空気処理装置を模式的に示す斜視図であり、蓋体が本体に対して開いている状態を示す。図２は、本発明の実施形態に係る空気処理装置を模式的に示す断面斜視図である。図３は、本発明の実施形態に係る空気処理装置の本体部分を模式的に示す分解斜視図である。図４は、本発明の実施形態に係る空気処理装置の本体の一部を模式的に示す分解斜視図である。図５は、本発明の実施形態に係る空気処理装置の本体の一部を模式的に示す斜視図である。図６は、本発明の実施形態に係る空気処理装置の調湿ロータを模式的に示す分解斜視図である。図７は、本発明の実施形態に係る空気処理装置のシールリング付近の構造を模式的に示す部分的な断面斜視図である。図８は、本発明の実施形態に係る空気処理装置のシールリング付近の構造を模式的に示す部分的な断面斜視図である。図９は、本発明の実施形態に係る空気処理装置のファンロータ及び調湿ロータの運動について模式的に示す平面図である。図１０は、本発明の実施形態に係る空気処理装置の動作時における各部分の温度を示すサーモグラフィーである。図１１は、比較例に係る空気処理装置の動作時における各部分の温度を示すサーモグラフィーである。
【００６５】  ここで、説明の便宜上、互いに直交する３つの方向をＸ方向、Ｙ方向、Ｚ方向とする。Ｘ方向の一方をＸ１、Ｘ方向の他方をＸ２とし、Ｙ方向の一方をＹ１、Ｙ方向の他方をＹ２とし、Ｚ方向の一方をＺ１、Ｚ方向の他方をＺ２とする。（全体構造）  図１に示すように、空気処理装置１は、蓋体ＧＴ及び本体ＢＴを含み、蓋体ＧＴと本体ＢＴとはピボット連結され、蓋体ＧＴは本体ＢＴに対して開閉可能である。また、図２に示すように、蓋体ＧＴが本体ＢＴに対して閉じられた状態において、蓋体ＧＴと本体ＢＴとの間には、空気流が通ることのできる隙間が形成されている（図に示す例では、空気流は、周りから蓋体ＧＴと本体ＢＴとの間の隙間に入ることができる）。
【００６６】  また、図１及び図２に示すように、本体は、吸込口１０１及び第１吹出口６１１を有し、本体ＢＴ内には、ファンアセンブリ２００と、調湿ロータ３００と、加熱アセンブリ４００とが設けられている。ファンアセンブリ２００は、吸気口２０１及び第１送気口２０２を有する。調湿ロータ３００は、ファンアセンブリ２００のファンロータ２１０の回転軸Ｌ１に略平行な回転軸Ｌ２を有する。また、調湿ロータ３００は、調湿ロータ３００の回転軸Ｌ２を中心とする周方向において互いに隣接する、吸湿エリア３０１及び放湿エリア３０２を有する。また、図２に示すように、ファンアセンブリ２００の動作時、吸込口１０１から本体ＢＴ内に吸い込まれた空気流は、吸湿エリア３０１を通過してファンアセンブリ２００の吸気口２０１に入る。その後、そのうちの少なくとも一部の空気流は、第１送気口２０２から吹き出され、放湿エリア３０２を通過して、第１吹出口６１１から放出される。また、図９に示すように、加熱アセンブリ４００は、加熱部４２０を有する。加熱部４２０は、少なくとも、放湿エリア３０２のうち調湿ロータ３００の回転方向上流側寄りの部分を加熱する。第１送気口２０２は、少なくとも、放湿エリア３０２のうち調湿ロータ３００の回転方向上流側寄りの部分に送風する。ファンロータ２１０の回転方向は、調湿ロータ３００の回転方向と同一である。
【００６７】  ここで、図１及び図２に示すように、本体ＢＴは、吸込口１０１（本体ＢＴの、蓋体ＧＴに面する面に設けられる）及び第１吹出口６１１に加え、第２吹出口１０２を更に有する（状況に応じて、第１吹出口６１１及び第２吹出口１０２以外に、他の吹出口を更に設けてもよい）。また、図３に示すように、ファンアセンブリ２００は、吸気口２０１及び第１送気口２０２に加え、第２送気口２０３を更に有する。また、図２に示すように、ファンアセンブリ２００の動作時、空気流は、外部から入り、蓋体ＧＴと本体ＢＴとの間の隙間を通って、吸込口１０１から本体ＢＴ内に吸い込まれる。吸込口１０１から本体ＢＴ内に吸い込まれた空気流は、吸湿エリア３０１を通過して、ファンアセンブリ２００の吸気口２０１に入った後、２つの経路に分かれる。１つは、第１送気口２０２から吹き出され、放湿エリア３０２を通過して、第１吹出口６１１から放出される経路であり（矢印Ａ１参照）、もう１つは、第２送気口２０３から第２吹出口１０２に吹き出されて放出される経路である（矢印Ａ２参照）。
【００６８】  なお、本願において、「吸湿エリア」とは、設計上、吸込口１０１からファンアセンブリ２００の吸気口２０１に到達しようとする空気流が流れるエリア（図に示す例では中心角が１８０°よりも大きい扇形であるが、これに限定されない）を指し、「放湿エリア」とは、設計上、第１送気口２０２から第１吹出口６１１に到達しようとする空気流が流れるエリア（図に示す例では、中心角が１８０°よりも小さい扇形であるが、これに限定されない）を指す。また、「放湿エリア３０２のうち調湿ロータ３００の回転方向上流側寄りの部分」とは、放湿エリア３０２の角二等分線よりも上流側の部分（図に示す例では、扇形の放湿エリア３０２の角二等分線よりも上流側の部分である）を指す。また、「第１送気口２０２は、少なくとも放湿エリア３０２のうち調湿ロータ３００の回転方向上流側寄りの部分に送風する」とは、上流側の部分のみに送風することに限定されるのではなく、例えば、放湿エリア全体のうち上流側寄りである３分の２に送風してもよい。（ケーシングの構造）  図１に示すように、ケーシング１００は略直方体形状を呈し、前面１１０と、背面１２０と、側面１３０とを有する。前面１１０は、蓋体ＧＴが本体ＢＴに対して閉じられている時、蓋体ＧＴに対向する。背面１２０は（平らな面に限定されず、不規則な形状であってもよい）、前面１１０に対向する。側面１３０は、前面１１０と背面１２０との間に位置して、前面１１０と背面１２０とを繋ぐ。
【００６９】  ここで、図１及び図２に示すように、ケーシング１００の前面１１０には、吸込口１０１が設けられている（具体的には、前面１１０のほぼ中央に設けられているが、これに限定されず、他の位置に設けられていてもよい）。この吸込口１０１の箇所には、第１フィルタＬＶ１が設けられている。ケーシング１００の側面１３０には、第２吹出口１０２が設けられている（具体的には、４つの側面１３０のうちＹ１方向寄りの側面に設けられ、且つこの側面のＸ２方向側の場所に設けられるが、これに限定されず、他の位置に設けられてもよい）。この第２吹出口１０２の箇所には、第２フィルタＬＶ２が設けられている。実際の使用時（すなわち、縦方向に取り付けられる時）には、ケーシング１００の第２吹出口１０２を縦方向下方に向けることによって、他の設置方法（例えば、第２吹出口を上方又は側方に向ける）よりも、塵埃が第２吹出口１０２に入りにくくなり、空気処理装置１の長時間にわたる正常動作が確実に行われやすい。また、図２に示すように、ケーシング１００には、仕切部６１０が設けられている（具体的には、調湿ロータ３００の回転軸Ｌ２と垂直になるように、前面１１０と背面１２０との間に設けられているが、これに限定されない）。仕切部６１０は、第１吹出口６１１を有し、調湿ロータ３００の径方向において、調湿ロータ３００に隣接するように設けられている（具体的には、仕切部６１０のＸ１方向寄り、且つＹ２方向側の角部付近に設けられるが、これに限定されず、放湿エリアを通過する空気流が流入可能な位置であって、外部の空気流と連通可能な位置に設けられていれば、他の位置に設けられてもよい）。また、吸込口１０１は、全体として略半円形を呈する（具体的には、半円よりもわずかに大きい形状であるが、これに限定されず、他の形状であってもよい）。第１吹出口６１１は、全体として略円形を呈し（これに限定されず、他の形状であってもよい）、第２吹出口１０２は、全体として略矩形を呈する（これに限定されず、他の形状であってもよい）。
【００７０】  また、図２に示すように、第１吹出口６１１には、排気ダクト５００が接続されている（具体的には、調湿ロータ３００の回転軸Ｌ２方向に沿って、第１吹出口６１１からケーシング１００の背面１２０側に向かって延びているが、これに限定されず、他の方向に向かって延びていてもよい）。この排気ダクト５００は、第１吹出口６１１から吹き出された空気流を空調対象空間の外に排出するために用いられる。
【００７１】  また、図２に示すように、本体ＢＴ内には、電装品箱ＤＨが設けられている。電装品箱ＤＨは、ファンアセンブリ２００と背面１２０との間に設けられ、電装品箱ＤＨは、ファンロータ２１０の回転軸Ｌ１に垂直な方向（図中のＹ方向）に沿って見た時に、台形（具体的には、下底が上底よりもＸ２方向側寄りにある台形）を呈する。
【００７２】  また、図９に示すように、第１吹出口６１１と調湿ロータ３００との間には、遮蔽板６１２が設けられている（具体的には、第１吹出口６１１に沿って延びる円弧状を呈しているが、これに限定されず、他の形状になるように設けられてもよい）。この遮蔽板６１２は、第１送気口２０２から吹き出された空気流が、放湿エリア３０２を通って、直接第１吹出口６１１に流れることを防止する。（ファンアセンブリの構造）  図２、図４、及び図５に示すように、ファンアセンブリ２００は、ケーシング１００内に設けられ、ファンロータ２１０と、ファンロータ２１０を収容するスクロールケーシング２２０とを有する。
【００７３】  ここで、ファンアセンブリ２００は、例えばターボファンである。ファンロータ２１０は、その回転軸Ｌ１がケーシング１００の前面と垂直にならないように（すなわち、ケーシング１００の前面に対して傾斜するように）、ケーシング１００の背面１２０に近い位置に設けられる。また、ファンロータ２１０は羽根部２１１を有する。
【００７４】  また、図４及び図５に示すように、スクロールケーシング２２０は単独で、吸気口２０１、第１送気口２０２、及び第２送気口２０３を構成する（ただし、これに限定されず、吸気口２０１、第１送気口２０２、及び第２送気口２０３のうち１つ又は複数は、スクロールケーシング２２０及び他の部材によって構成されてもよい）。また、吸気口２０１は略Ｚ１方向に向いており、第１送気口２０２は略Ｘ１方向に向いており、第２送気口２０３は略Ｙ１方向に向いている。第１送気口２０２を略Ｘ１方向に向けることで、第１送気口２０２から吹き出された空気流が、調湿ロータ３００の放湿エリア３０２に流れやすく、放湿エリア３０２の放湿効率が向上しやすい。一方、第２送気口２０３を略Ｙ１方向に向けることで、第２送気口２０３から吹き出された空気流を、ケーシング１００の第２吹出口１０２から空調対象空間に比較的短い距離で届けることができるため、送風効率を向上させやすい（当然ながら、吸気口２０１、第１送気口２０２、及び第２送気口２０３の向きはこれに限定されず、空気流を分岐させることができる方向であればよい）。
【００７５】  また、第１送気口２０２は、ファンロータ２１０の回転軸Ｌ１方向から見た時に、少なくとも調湿ロータ３００の回転方向上流側部分と対応する（具体的には、下流側部分のみと対応するのでなければよく、上流側部分のみと対応してもよいし、上流側部分及び下流側部分と対応してもよい）。（調湿ロータの構造）  図２に示すように、調湿ロータ３００は、ケーシング１００内に設けられ、調湿ロータ３００の回転軸Ｌ２を中心とする周方向において互いに隣接する、吸湿エリア３０１及び放湿エリア３０２を有する。
【００７６】  ここで、調湿ロータ３００は、その回転軸Ｌ２がケーシング１００の前面と垂直にならないように（すなわち、ケーシング１００の前面に対して傾斜するように）、ケーシング１００の前面１１０に近い位置に設けられる。また、調湿ロータ３００の回転軸Ｌ２は、ファンロータ２１０の回転軸Ｌ１と平行であるが一致はしておらず、調湿ロータ３００の回転軸Ｌ２は、ファンロータ２１０の回転軸Ｌ１よりもＸ１方向側寄りである（すなわち、加熱アセンブリ４００に近い）。
【００７７】  また、図２に示すように、調湿ロータ３００の吸湿エリア３０１は、ケーシング１００の吸込口１０１とほぼ対応しており、吸湿エリア３０１と吸込口１０１とは、調湿ロータ３００の回転軸Ｌ２方向において重なっている（吸湿エリア３０１は、吸込口１０１と平行しないように設けられても、吸込口１０１と平行するように設けられてもよく、吸込口１０１が吸湿エリア３０１をほぼ覆いさえすればよい）。これに対し、調湿ロータ３００の放湿エリア３０２と、ケーシング１００の吸込口１０１とは、調湿ロータ３００の回転軸Ｌ２方向において重ならない。
【００７８】  また、図２に示すように、調湿ロータ３００の吸湿エリア３０１は、ファンアセンブリ２００の吸気口２０１とほぼ対応し、吸湿エリア３０１と吸気口２０１とは、調湿ロータ３００の回転軸Ｌ２方向において重なっている（調湿ロータ３００が、少なくとも部分的に吸気口２０１を覆っていればよい）。
【００７９】  また、図５に示すように、調湿ロータ３００は、ファンアセンブリ２００のスクロールケーシング２２０に取り付けられた駆動アセンブリＱＤによって回転させられる（調湿ロータ３００は、直接駆動アセンブリＱＤによって駆動されてもよいし、他の部材を介して駆動アセンブリＱＤによって駆動されてもよい）。（加熱アセンブリの構造）  図２に示すように、加熱アセンブリ４００は、ケーシング１００内に設けられる。具体的には、加熱アセンブリ４００は、第１送気口２０２から吹き出されて放湿エリア３０２を通過する空気流の経路に設けられ、第１吹出口６１１とファンアセンブリ２００との間に位置する。より具体的には、加熱アセンブリ４００は、ファンアセンブリ２００の径方向においてファンアセンブリ２００に隣接しており、且つ調湿ロータ３００の回転軸方向において調湿ロータ３００に隣接している。調湿ロータ３００は、加熱アセンブリ４００及びファンアセンブリ２００を少なくとも部分的に覆う。
【００８０】  また、図５に示すように、加熱アセンブリ４００は、加熱アセンブリハウジング４１０を含み、加熱アセンブリハウジング４１０は、加熱アセンブリ吸込口４１１及び加熱アセンブリ吹出口４１２を有する。加熱アセンブリ吸込口４１１は、第１送気口２０２と対応し（具体的には、ファンロータ２１０の回転軸Ｌ１に垂直な方向において対向しているが、これに限定されない）、その開口の大きさは加熱部４２０と等しいか、又は加熱部４２０よりも大きい。また、加熱アセンブリ吹出口４１２は、放湿エリア３０２と対応する（具体的には、調湿ロータ３００の回転軸Ｌ２方向において対向しているが、これに限定されない）。
【００８１】  また、図５及び図９に示すように、加熱アセンブリハウジング４１０内には、加熱部４２０及び緩衝部４３０が設けられている。加熱部４２０は、少なくとも、放湿エリア３０２のうち調湿ロータ３００の回転方向上流側寄りの部分と、部分的に対応する（図に示す例では、加熱部４２０は、放湿エリア３０２のうち調湿ロータ３００の回転方向上流側寄りの部分のみと対応しているため、放湿エリア３０２のうち調湿ロータ３００の回転方向上流側寄りの部分のみを加熱するが、これに限定されず、例えば、図１２に示すように、加熱部４２０は、放湿エリア３０２全体の３分の２を加熱してもよい）。また、加熱部４２０は、加熱アセンブリ吸込口４１１と対応して設けられた電熱線により構成される（他の加熱部材により構成されてもよい）。緩衝部４３０は、少なくとも、放湿エリア３０２のうち調湿ロータ３００の回転方向下流側寄りの部分と、部分的に対応する（図に示す例では、緩衝部４３０は、放湿エリア３０２のうち調湿ロータ３００の回転方向下流側寄りの部分のみと対応するが、これに限定されず、例えば、図１３に示すように、緩衝部４３０は、放湿エリア３０２全体の３分の２と対応してもよい）。また緩衝部４３０は、調湿ロータ３００の回転方向において、加熱部４２０よりも下流側寄りにある。更に、緩衝部４３０には、空気処理装置の安全な運転を確実にするための安全保護装置４３１（例えば、周囲の空気の温度を検出し、周囲の温度が高すぎる場合に、加熱部又は空気処理装置の動作を停止する安全保護装置）が設けられている。（調湿ロータの放湿エリアと対応したシール構造）  図２〜図４及び図６〜図８に示すように、ケーシング１００内には、上フレーム６００及び下トレイ７００が設けられており、上フレーム６００及び下トレイ７００は、調湿ロータ３００の回転軸Ｌ２方向の両側から調湿ロータ３００を挟持する。また、上フレーム６００及び下トレイ７００にはそれぞれ、放湿エリア３０２と対応する、上フレーム側空気流路ＴＤ１及び下トレイ側空気流路ＴＤ２が形成されている。ファンアセンブリ２００の動作時、第１送気口２０２から吹き出された空気流は、下トレイ側空気流路ＴＤ２、放湿エリア３０２、及び上フレーム側空気流路ＴＤ１を順に通過し、第１吹出口６１１から放出される。
【００８２】  ここで、図４及び図６に示すように、上フレーム６００は、仕切部６１０及び支持部６２０を有する（すなわち、上フレーム６００は、仕切部６１０と一体形成されているが、これに限定されない）。仕切部６１０と支持部６２０とは、調湿ロータ３００の径方向において互いに隣接しており、仕切部６１０は、支持部６２０よりも調湿ロータ３００の径方向外側にある。また、支持部６２０は、軸受部６２１及び空気流路形成部６２２を有する。軸受部６２１は、調湿ロータ３００中央の貫通孔３０９に挿入され、調湿ロータ３００を回転可能に支持する（具体的には、下トレイ７００の軸受部７１０と当接して係合され、調湿ロータ３００を回転可能に支持する）。空気流路形成部６２２は、上フレーム側空気流路ＴＤ１を形成する。空気流路形成部６２２は、調湿ロータ３００の回転軸Ｌ２方向に沿って見た時に、調湿ロータ３００の放湿エリア３０２を周りから囲んでいる。
【００８３】  また、図６〜図８に示すように、調湿ロータ３００の上フレーム６００側とは反対側の面と下トレイ７００との間には、シールリング８００が、放湿エリア３０２と対応するように設けられている。また、下トレイ７００及びシールリング８００の少なくとも一方には、付勢ユニット９００が設けられている（図に示す例では、下トレイ７００及びシールリング８００の両方に付勢ユニット９００の一部が設けられている）。付勢ユニット９００は、シールリング８００に対し、調湿ロータ３００の回転軸Ｌ２に沿い調湿ロータ３００に向かって、作用力を加える。
【００８４】  ここで、図４及び図６に示すように、下トレイ７００は、ファンロータ２１０のスクロールケーシング２２０に固定されており、軸受部７１０及び空気流路形成部７２０を有する。軸受部７１０と空気流路形成部７２０とは、回転軸Ｌ２を基準とする調湿ロータ３００の径方向において互いに隣接しており、空気流路形成部７２０は、軸受部７１０よりも調湿ロータ３００の径方向外側寄りにある。また、軸受部７１０は、調湿ロータ３００中央の貫通孔３０９に挿入され、調湿ロータ３００を回転可能に支持する（具体的には、上フレーム６００の軸受部６２１と当接して係合され、調湿ロータ３００を回転可能に支持する）。空気流路形成部７２０は、下トレイ側空気流路ＴＤ２を形成する。空気流路形成部７２０は、調湿ロータ３００の回転軸Ｌ２方向に沿って見た時に、調湿ロータ３００の放湿エリア３０２を周りから囲んでいる。
【００８５】  具体的には、空気流路形成部７２０は、下トレイ内周部７２１と、下トレイ外周部７２２と、下トレイ中間部７２３とを有する。下トレイ内周部７２１は軸受部７１０と繋がっている。下トレイ外周部７２２は、第１部分７２２１及び第２部分７２２２を有する。第１部分７２２１は、調湿ロータ３００の、回転軸Ｌ２を基準とする軸方向端面の外周縁部分に対向する。第２部分７２２２は、第１部分７２２１の、回転軸Ｌ２を基準とする径方向外側端部から、調湿ロータ３００の回転軸Ｌ２に沿って延び、調湿ロータ３００の外周面と対向する。下トレイ中間部７２３は、下トレイ内周部７２１と下トレイ外周部７２２とを繋ぐことによって環形状を形成する。この環形状に囲まれた部分の面積は、調湿ロータ３００の放湿エリア３０２の大きさにほぼ対応する。
【００８６】  また、図７に示すように、シールリング８００は、下トレイ内周部７２１、下トレイ外周部７２２、及び下トレイ中間部７２３により形成される環形状と対応する環形状を有し、シールリング内周部８１０、シールリング外周部８２０、及びシールリング内周部８１０とシールリング外周部８２０とを繋ぐシールリング中間部８３０を有する。
【００８７】  また、図８に示すように、付勢ユニット９００は、作用力としての磁石の斥力を加えるペア磁石を含み、ペア磁石の一方は下トレイ７００に設けられ、他方はシールリング８００に設けられている。具体的には、付勢ユニット９００は、作用力としての磁石の斥力を加える複数対の磁石を含み、この複数対の磁石は、シールリング８００の周方向に沿って均等に配置される。
【００８８】  また、図８に示すように、下トレイ７００の、シールリング８００に対向する面には、シールリング８００を収容する下トレイ側凹溝７０１が設けられており、シールリング８００の、下トレイ７００に面する面には、シールリング側凹溝８０１が設けられている。シールリング側凹溝８０１内には、付勢ユニット９００の一部（具体的には、ペア磁石のうちの他方）が収容されている。また、シールリング８００の、調湿ロータ３００に面する面には、調湿ロータ３００を当接するための摩擦防止層１０００が設けられている。
【００８９】  本発明の空気処理装置１によると、ファンアセンブリ２００は、吸気口２０１及び第１送気口２０２を有し、ファンアセンブリ２００の動作時、調湿ロータ３００の吸湿エリア３０１を通過しファンアセンブリ２００の吸気口２０１に入った空気流の一部は、第１送気口２０２から吹き出され放湿エリア３０２を通過した後、第１吹出口６１１から放出される。これにより、専用の送風装置を設けて加熱アセンブリに送風する必要がなく、ファンアセンブリ２００の第１送気口２０２から吹き出された空気流を利用して、調湿ロータ３００の放湿エリア３０２の放湿効果を高めることができるので、装置の全体構造の簡素化に寄与する。
【００９０】  また、本発明の空気処理装置１によると、加熱アセンブリ４００の加熱部４２０は、少なくとも、放湿エリア３０２のうち調湿ロータ３００の回転方向上流側寄りの部分を加熱するので、放湿エリア３０２のうち調湿ロータ３００の回転方向下流側寄りの部分のみを加熱する場合と比べて、図１０及び図１１に示すように、実際に機能する放湿エリアの面積を大きくしやすく、調湿ロータ３００の放湿エリアの放湿効果の向上に寄与する。その結果、調湿ロータ３００の除湿効率が上がる。
【００９１】  また、本発明の空気処理装置１によると、加熱アセンブリ４００の加熱部は、少なくとも、放湿エリア３０２のうち調湿ロータ３００の回転方向上流側寄りの部分を加熱し、第１送気口２０２は、少なくとも、放湿エリア３０２のうち調湿ロータ３００の回転方向上流側寄りの部分に送風する。また、ファンロータ２１０の回転方向は、調湿ロータ３００の回転方向と同一である。これにより、ファンロータ２１０の回転方向と調湿ロータ３００の回転方向とが異なる場合に比べて、ファンアセンブリ２００の第１送気口２０２から吹き出された空気流が、放湿エリア３０２全体に行き渡りやすく、調湿ロータ３００の放湿エリア３０２の放湿効果の向上に寄与する。その結果、調湿ロータ３００の除湿効率が上がる。
【００９２】  以上、図面と結び付けながら、本発明について例示的な説明を行ったが、本発明の具体的な実現は、上述の実施形態の制限を受けないことは明らかである。
【００９３】  例えば、上述の実施形態では、空気処理装置１は、蓋体ＧＴ及び本体ＢＴを含むが、これに限定されず、状況に応じて蓋体を省略してもよい。
【００９４】  また、上述の実施形態では、ケーシング１００の前面１１０と背面１２０との間に位置する仕切部６１０は、第１吹出口６１１を有するが、これに限定されない。状況に応じて、例えば第１吹出口６１１を、ケーシング１００の側面１３０に設けてもよいし、或いはケーシング１００の背面１２０に設けてもよい。
【００９５】  また、上述の実施形態では、ファンロータ２１０は、その回転軸Ｌ１とケーシング１００の前面とが垂直にならないように、ケーシング１００内に設けられ、調湿ロータ３００は、その回転軸Ｌ２とケーシング１００の前面とが垂直にならないように、ケーシング１００の前面１１０に近い位置に設けられる。これにより、装置の全体の寸法を大きくすることなく、ファンロータ２１０とケーシング１００との間に、電装品箱ＤＨ等を収容する空間を形成することができ、装置全体の小型化の実現に寄与するが、これに限定されない。ファンロータ２１０及び調湿ロータ３００は、それらの回転軸Ｌ１、Ｌ２とケーシング１００の前面とが垂直になるように、ケーシング１００内に設けられてもよい。
【００９６】  また、上述の実施形態では、ファンアセンブリ２００の第１送気口２０２は、放湿エリア３０２のうち調湿ロータ３００の回転方向上流側寄りの部分にのみ送風しているが、これに限定されない。ファンアセンブリ２００の第１送気口２０２は、放湿エリア３０２のうち調湿ロータ３００の回転方向上流側寄りの部分、及び、調湿ロータ３００の回転方向下流側寄りのうち上流側に近い部分に、同時に送風してもよい。
【００９７】  また、上述の実施形態では、第１送気口２０２から吹き出されて放湿エリア３０２を通過する空気流の経路に、加熱アセンブリ４００を設けているが、これに限定されず、加熱アセンブリ４００の設置位置を、状況に応じて適宜調整してもよい。
【００９８】  また、上述の実施形態では、加熱アセンブリ４００は、放湿エリア３０２のうち調湿ロータ３００の回転方向上流側寄りの部分のみを加熱するが、これに限定されない。加熱アセンブリ４００は、放湿エリア３０２のうち調湿ロータ３００の回転方向上流側寄りの部分、及び、調湿ロータ３００の回転方向下流側寄りのうち上流側に近い部分を同時に加熱してもよい。
【００９９】  また、上述の実施形態において、図１４に示すように、吸込口１０１の、放湿エリアから離れた第１位置Ｐ１（例えば、第１フィルタＬＶ１の、放湿エリアと隔てられた場所）に、センサＣＧ（温度センサ、湿度センサ等）を設けてもよいし、蓋体ＧＴの、放湿エリアから離れた第２位置Ｐ２（例えば、蓋体ＧＴの、吸込口１０１よりも放湿エリアから離れた場所）に、センサ（温度センサ、湿度センサ等）を設けてもよい。
【０１００】  また、上述の実施形態では、付勢ユニット９００は、作用力としての磁石の斥力を加えるペア磁石を備えているが、これに限定されない。
【０１０１】  例えば、図１５に示すように、付勢ユニット９００は、作用力としての弾性力を加える弾性部材を含んでもよい。具体的には、下トレイ７００及びシールリング８００の少なくとも一方に、他方に向かって延びる柱７０２が設けられている（図に示す例では、柱７０２は下トレイ７００に設けられている）。付勢ユニット９００は、弾性部材としてバネを含み、このバネは、柱７０２に嵌められて、シールリング側凹溝８０１に収容される。
【０１０２】  上述の場合、弾性部材としてのバネは、シールリング８００の周方向に沿って均等に配置されることが好ましい。また、下トレイ７００及びシールリング８００の少なくとも一方には、バネの端部を収容するための位置制限孔（図示せず）が設けられていることが好ましい。このようにすることで、バネの位置や形状が更に容易に保たれるので（バネを捻じ曲がらないように維持する）、バネが正常に機能する。
【０１０３】  また、上述の実施形態において、付勢ユニット９００は、作用力としての磁石の斥力を加えるペア磁石と、作用力としての弾性力を加える弾性部材とをともに含んでもよい。
【０１０４】  上述の場合、付勢ユニット９００は、複数対の磁石と、複数の弾性部材とを含むことが好ましい。この場合、複数対の磁石が、シールリング８００の周方向に沿って均等に配置され、複数の弾性部材が、シールリング８００の周方向に沿って均等に配置されることが好ましい。また、磁石と弾性部材とは、シールリング８００の周方向に沿って交互に設けられることが好ましい。
【０１０５】  また、上述の実施形態において、第１吹出口６１１の箇所に、図１６及び図１７に示すような、直接又は排気ダクト５００を介して連結される防護装置ＦＨを更に設けてもよい。防護装置ＦＨは、逆流防止ダンパＦＨ１及び防虫ネットＦＨ２を含む。ここで、図１６及び図１７に示すように、防護装置ＦＨは、第１吹出口６１１又は排気ダクト５００に接続された取付管ＦＨ３と、取付管ＦＨ３内に設けられた、逆流防止ダンパＦＨ１及び防虫ネットＦＨ２とを含む。取付管ＦＨ３の端部（第１吹出口６１１とは反対側の端部）には、雨水を遮断するための曲管部が設けられており、また、排気溝ＦＨ３１が設けられている。
【０１０６】  本発明は、その範囲内において、各実施形態を自由に組み合わせたり、適宜変更、省略したりすることができることを理解されたい。
【０１０７】  以上、本開示の実施形態を説明したが、特許請求の範囲に記載された本開示の趣旨及び範囲から逸脱することなく、形態や詳細の多様な変更が可能なことが理解されるであろう。
【符号の説明】
【０１０８】１            空気処理装置１００        ケーシング１０１        吸込口１０２        第２吹出口１１０        前面１２０        背面１３０        側面２００        ファンアセンブリ２０１        吸気口２０２        第１送気口２０３        第２送気口２１０        ファンロータ２１１        羽根部２２０        スクロールケーシング３００        調湿ロータ３０１        吸湿エリア３０２        放湿エリア３０９        貫通孔４００        加熱アセンブリ４１０        加熱アセンブリハウジング４１１        加熱アセンブリ吸込口４１２        加熱アセンブリ吹出口４２０        加熱部４２１        電熱線４３０        緩衝部４３１        安全保護装置５００        排気ダクト６００        上フレーム６１０        仕切部６１１        第１吹出口６１２        遮蔽板６２０        支持部６２１        軸受部６２２        空気流路形成部７００        下トレイ７０１        下トレイ側凹溝７０２        柱７１０        軸受部７２０        空気流路形成部７２１        下トレイ内周部７２２        下トレイ外周部７２３        下トレイ中間部７２２１      第１部分７２２２      第２部分８００        シールリング８０１        シールリング側凹溝８１０        シールリング内周部８２０        シールリング外周部８３０        シールリング中間部９００        付勢ユニット１０００      摩擦防止層ＧＴ          蓋体ＢＴ          本体ＱＤ          駆動アセンブリＴＤ１        上フレーム側空気流路ＴＤ２        下トレイ側空気流路ＬＶ１        第１フィルタＬＶ２        第２フィルタＰ１          第１位置Ｐ２          第２位置ＣＧ          センサＦＨ          防護装置ＦＨ１        逆流防止ダンパＦＨ２        防虫ネットＦＨ３        取付管ＦＨ３１      排気溝
【先行技術文献】
【特許文献】
【０１０９】
【特許文献１】中国実用新案第２０２０９６８７１号
【図１】
2020085340.tif 000003
【図２】
2020085340.tif 000004
【図３】
2020085340.tif 000005
【図４】
2020085340.tif 000006
【図５】
2020085340.tif 000007
【図６】
2020085340.tif 000008
【図７】
2020085340.tif 000009
【図８】
2020085340.tif 000010
【図９】
2020085340.tif 000011
【図１０】
2020085340.tif 000012
【図１１】
2020085340.tif 000013
【図１２】
2020085340.tif 000014
【図１３】
2020085340.tif 000015
【図１４】
2020085340.tif 000016
【図１５】
2020085340.tif 000017
【図１６】
2020085340.tif 000018
【図１７】
2020085340.tif 000019
【国際調査報告】
2020085340.tif 000020
2020085340.tif 000021
2020085340.tif 000022
2020085340.tif 000023